(57)【要約】【課題】花粉がエレベーターを経由して建築物の内部に入り込むことを防止できるエレベーターの乗場送風装置を提供する。【解決手段】エレベーターの乗場送風装置は、エレベーターの乗場の出入口の周囲に設けられ、風を発生させる乗場送風機と、前記乗場の出入口の縁部に設けられ、前記乗場送風機からの風が前記乗場の出入口から前記乗場の手前の側へ流れるように形成された吹出装置と、を備えた。当該構成を備えることにより、花粉がエレベーターを経由して建築物の内部に入り込むことを防止できる。【選択図】図２
2018058671.tif 000002
【特許請求の範囲】
【請求項１】
エレベーターの乗場の出入口の周囲に設けられ、風を発生させる乗場送風機と、
前記乗場の出入口の縁部に設けられ、前記乗場送風機からの風が前記乗場の出入口から前記乗場の手前の側へ流れるように設けられた吹出装置と、
を備えたエレベーターの乗場送風装置。
【請求項２】
前記吹出装置は、前記乗場の出入口の三方枠に設けられた請求項１に記載のエレベーターの乗場送風装置。
【請求項３】
前記乗場の出入口の周囲の壁において前記乗場の側から開閉自在に設けられ、閉じたときに前記乗場送風機を前記乗場の側から遮蔽し、開いたときに前記乗場送風機を前記乗場の側に露出させる扉、
を備えた請求項１または請求項２に記載のエレベーターの乗場送風装置。
【請求項４】
請求項１から請求項３のいずれか一項に記載の乗場送風装置と、
前記乗場に設けられ、前記乗場の花粉の量を検出する花粉検出装置と、
前記花粉検出装置が予め設定された量以上の量の花粉を検出した場合に前記乗場送風装置を動作させる制御装置と、
を備えたエレベーターシステム。
【請求項５】
前記エレベーターの昇降路の内部に設けられたかごと、
前記かごに設けられたかご送風装置と、
を備え、
前記制御装置は、前記かごが前記乗場に停止した状態で前記かごのドアと前記乗場のドアとが開いているときに前記昇降路の内部から前記かごの内部に流れる風が発生するように前記かご送風装置を動作させる請求項４に記載のエレベーターシステム。
【請求項６】
前記制御装置は、前記かごが前記乗場の階から走行を開始した際に前記かごの内部から前記昇降路の内部に流れる風が発生するように前記かご送風装置を動作させる請求項５に記載のエレベーターシステム。
【請求項７】
前記制御装置は、前記かごが前記乗場の階から走行を開始した後に他の階に到着した際に前記かごの内部から前記昇降路の内部に流れる風が発生するように前記かご送風装置の動作を維持させる請求項６に記載のエレベーターシステム。
【請求項８】
前記昇降路に設けられた昇降路送風装置、
を備え、
前記制御装置は、前記かご送風装置が前記かごの内部から昇降路の内部に流れる風を発生させる際に前記昇降路の内部から外部に流れる風が発生するように前記昇降路送風装置を動作させる請求項７に記載のエレベーターシステム。
【請求項９】
前記制御装置は、前記かごが前記乗場の階から目的の階に向けて走行している際に前記乗場の階と目的の階との間の階の乗場呼びが登録されている場合は、当該階の花粉検出装置により検出された花粉の量に基づいて当該階の乗場呼びに前記かごを応答させるか否かを判定する請求項５から請求項８のいずれか一項に記載のエレベーターシステム。
【請求項１０】
前記制御装置は、前記かごが前記乗場の階と目的の階との間の階に到着するまでに当該階の花粉の量が予め設定された量よりも少なくなるように当該階の乗場送風機を動作させる請求項９に記載のエレベーターシステム。
【請求項１１】
前記制御装置は、前記かごが前記乗場の階と目的の階との間の階に到着するまでに当該階の花粉検出装置により検出された花粉の量が予め設定された量よりも少なくなっている場合に、当該階の乗場呼びに前記かごを応答させる請求項１０に記載のエレベーターシステム。
【発明の詳細な説明】
【技術分野】
【０００１】
この発明は、エレベーターの乗場送風装置および乗場送風装置を備えたエレベーターシステムに関する。
【背景技術】
【０００２】
特許文献１は、エレベーターを開示する。当該エレベーターによれば、利用者は、かごに乗ることで建築物の各階に移動し得る。
【先行技術文献】
【特許文献】
【０００３】
【特許文献１】特開２０１６−１３０１５７号公報
【発明の概要】
【発明が解決しようとする課題】
【０００４】
しかしながら、花粉が利用者の服等に付着していると、花粉は、利用者とともに建築物の各階に移動する。このため、花粉は、エレベーターを経由して建築物の内部に入り込む。
【０００５】
この発明は、上述の課題を解決するためになされた。この発明の目的は、花粉がエレベーターを経由して建築物の内部に入り込むことを防止できるエレベーターの乗場送風装置および乗場送風装置を備えたエレベーターシステムを提供することである。
【課題を解決するための手段】
【０００６】
この発明に係るエレベーターの乗場送風装置は、エレベーターの乗場の出入口の周囲に設けられ、風を発生させる乗場送風機と、前記乗場の出入口の縁部に設けられ、前記乗場送風機からの風が前記乗場の出入口から前記乗場の手前の側へ流れるように設けられた吹出装置と、を備えた。
【０００７】
この発明に係るエレベーターシステムは、前記乗場送風装置と、前記乗場に設けられ、前記乗場の花粉の量を検出する花粉検出装置と、前記花粉検出装置が予め設定された量以上の量の花粉を検出した場合に前記乗場送風装置を動作させる制御装置と、を備えた。
【発明の効果】
【０００８】
これらの発明によれば、乗場送風機は、風を発生させる。当該風は、乗場の出入口から乗場の手前の側に流れる。このため、乗場から離れる方向に花粉を移動させることができる。その結果、花粉がエレベーターを経由して建築物の内部に入り込むことを防止できる。
【図面の簡単な説明】
【０００９】
【図１】この発明の実施の形態１におけるエレベーターの乗場送風装置が適用されるエレベーターシステムの構成図である。
【図２】この発明の実施の形態１におけるエレベーターの乗場送風装置の斜視図である。
【図３】この発明の実施の形態１におけるエレベーターの乗場送風装置が適用されるエレベーターシステムの制御装置のブロック図である。
【図４】この発明の実施の形態１におけるエレベーターの乗場送風装置が適用されるエレベーターシステムの制御装置の動作の一例を説明するためのフローチャートである。
【図５】この発明の実施の形態１におけるエレベーターの乗場送風装置が適用されるエレベーターシステムの制御装置の動作の一例を説明するためのフローチャートである。
【図６】この発明の実施の形態１におけるエレベーターの乗場送風装置が適用されるエレベーターシステムの制御装置のハードウェア構成図である。
【発明を実施するための形態】
【００１０】
この発明を実施するための形態について添付の図面に従って説明する。なお、各図中、同一又は相当する部分には同一の符号が付される。当該部分の重複説明は適宜に簡略化ないし省略される。
【００１１】
実施の形態１．
図１はこの発明の実施の形態１におけるエレベーターの乗場送風装置が適用されるエレベーターシステムの構成図である。
【００１２】
図１に示されるように、建築物は、複数の階を備える。例えば、１階は、建築物の入口が存在する階である。例えば、２階は、店舗が存在する階である。例えば、３階は、他の建築物との連絡通路が存在する階である。例えば、４階は、店舗が存在する階である。例えば、５階は、店舗が存在する階である。例えば、６階は、診療所が存在する階である。
【００１３】
エレベーターの昇降路１は、建築物の各階を貫く。エレベーターの複数の乗場２の各々は、建築物の各階に設けられる。複数の乗場２の各々は、昇降路１に対向する。エレベーターのかご３は、昇降路１の内部に設けられる。患者ボタン３ａは、かご３の内部に設けられる。
【００１４】
昇降路送風装置４は、昇降路１に設けられる。例えば、昇降路送風装置４は、昇降路１の奥側における壁の上部に設けられる。昇降路送風装置４は、図示されないダンパを備える。当該ダンパは、昇降路１の外部から内部への空気の流れを防止し得るように設けられる。複数の乗場送風装置５の各々は、複数の乗場２の各々に設けられる。例えば、複数の乗場送風装置５の各々は、対応した乗場２の出入口の周囲に設けられる。かご送風装置６は、かご３に設けられる。例えば、かご送風装置６は、かご３の天井に設けられる。
【００１５】
複数の花粉検出装置７の各々は、複数の乗場２の各々に設けられる。例えば、複数の花粉検出装置７の各々は、複数の乗場送風装置５の各々に隣接して設けられる。図示されない複数の乗場表示装置の各々は、複数の乗場２の各々に設けられる。例えば、複数の乗場表示装置の各々は、複数の乗場送風装置５の各々に隣接して設けられる。
【００１６】
例えば、制御装置８は、エレベーターの図示されない機械室に設けられる。例えば、制御装置８は、昇降路１の内部に設けられる。
【００１７】
例えば、複数の花粉検出装置７のうちのいずれかの花粉検出装置７が予め設定された量以上の量の花粉を検出している状態において１階の乗場呼びが登録されると、制御装置８は、１階の乗場送風装置５とかご送風装置６との動作を開始させる。
【００１８】
この際、１階の乗場送風装置５は、１階の乗場２の出入口から当該乗場２の手前の側へ流れる風を発生させる。かご送風装置６は、昇降路１の内部からかご３の内部に流れる風を発生させる。
【００１９】
その後、かご３が１階に到着すると、制御装置８は、かご３のドアを開いた状態にする。乗場２のドアは、かご３のドアに追従して開いた状態となる。この状態において、利用者は、乗場２からかご３の内部に乗り込む。その後、利用者は、行先呼びを登録する。
【００２０】
かご３のドアが開いた状態になってから予め設定された時間が経過すると、制御装置８は、かご３のドアを閉じた状態にする。この際、乗場２のドアは、かご３のドアに追従して閉じた状態となる。この状態において、制御装置８は、行先呼びに対応した階に向けてかご３の走行を開始させる。
【００２１】
この際、制御装置８は、１階の乗場送風装置５を停止させる。制御装置８は、かご送風装置６の動作を変更する。その結果、かご送風装置６は、かご３の内部から昇降路１の内部に流れる風を発生させる。さらに、制御装置８は、かご送風装置６の動作を変更したタイミングで昇降路送風装置４を動作させる。その結果、昇降路送風装置４は、昇降路１の内部から昇降路１の外部に流れる風を発生させる。
【００２２】
その後、かご３が行先呼びに対応した階に到着すると、制御装置８は、かご３のドアを開いた状態にする。乗場２のドアは、かご３のドアに追従して開いた状態となる。この状態において、利用者は、かご３の内部から乗場２に降りる。
【００２３】
この際、制御装置８は、行先呼びに対応した階の乗場送風装置５を停止した状態に維持する。制御装置８は、かご送風装置６を動作した状態に維持する。その結果、かご送風装置６は、かご３の内部から昇降路１の内部に流れる風を発生させ続ける。さらに、制御装置８は、昇降路送風装置４を動作した状態に維持する。その結果、昇降路送風装置４は、昇降路１の内部から昇降路１の外部に流れる風を発生させ続ける。
【００２４】
その後、かご３が行先呼びに対応した階に到着してから予め設定された時間が経過すると、制御装置８は、かご３のドアを閉じた状態にする。乗場２のドアは、かご３のドアに追従して閉じた状態となる。
【００２５】
この際、制御装置８は、かご送風装置６を停止させる。その結果、かご送風装置６は、かご３の内部から昇降路１の内部に流れる風を発生させない。さらに、制御装置８は、昇降路送風装置４を停止させる。その結果、昇降路送風装置４は、昇降路１の内部から昇降路１の外部に流れる風を発生させない。
【００２６】
次に、図２を用いて、乗場送風装置５を説明する。
図２はこの発明の実施の形態１におけるエレベーターの乗場送風装置の斜視図である。
【００２７】
図２に示されるように、例えば、乗場送風装置５は、一対の乗場送風機５ａと一対の吹出装置５ｂと一対の扉５ｃとを備える。
【００２８】
一対の乗場送風機５ａは、乗場２の出入口の周囲に設けられる。例えば、一対の乗場送風装置５の一方は、乗場２の出入口の一側に隣接して設けられる。例えば、一対の乗場送風装置５の他方は、乗場２の出入口の他側に隣接して設けられる。
【００２９】
一対の吹出装置５ｂは、乗場２の出入口の縁部に設けられる。例えば、一対の吹出装置５ｂの一方は、三方枠の縦枠の一方に設けられる。例えば、一対の吹出装置５ｂの一方は、鉛直方向を長手方向とする開口を備える。例えば、一対の吹出装置５ｂの他方は、三方枠の縦枠の他方に設けられる。例えば、一対の吹出装置５ｂの他方は、鉛直方向を長手方向とする開口を備える。
【００３０】
一対の扉５ｃは、乗場２の出入口の周囲の壁に設けられる。一対の扉５ｃは、乗場２の側から開閉自在に設けられる。例えば、一対の扉５ｃの一方は、乗場２の出入口の一側に隣接して設けられる。例えば、一対の扉５ｃの一方は、閉じたときに一対の乗場送風機５ａの一方を乗場２の側から遮蔽する。例えば、一対の扉５ｃの一方は、開いたときに一対の乗場送風機５ａに一方を乗場２の側に露出させる。例えば、一対の扉５ｃの他方は、乗場２の出入口の他側に隣接して設けられる。例えば、一対の扉５ｃの他方は、閉じたときに一対の乗場送風機５ａの他方を乗場２の側から遮蔽する。例えば、一対の扉５ｃの他方は、開いたときに一対の乗場送風機５ａに他方を乗場２の側に露出させる。
【００３１】
一対の乗場送風機５ａの一方は、動作した際に風を発生させる。当該風は、一対の吹出装置５ｂの一方を介して乗場２の出入口の一側からの乗場２の手前の側に流れる。一対の乗場送風機５ａの他方は、動作した際に風を発生させる。当該風は、一対の吹出装置５ｂの他方を介して乗場２の出入口の他側からの乗場２の手前の側に流れる。
【００３２】
次に、図３を用いて、制御装置８を説明する。
図３はこの発明の実施の形態１におけるエレベーターの乗場送風装置が適用されるエレベーターシステムの制御装置のブロック図である。
【００３３】
図３に示されるように、制御装置８は、呼び情報記憶部８ａとかご制御部８ｂと送風装置制御部８ｃとを備える。
【００３４】
呼び情報記憶部８ａは、乗場呼びと行先呼びとの情報を記憶する。かご制御部８ｂは、複数の花粉検出装置７からの花粉の量の情報と呼び情報記憶部８ａに記憶された情報とに基づいてかご３の動作を制御する。送風装置制御部８ｃは、複数の花粉検出装置７からの花粉の量の情報とかご制御部８ｂからのかご３の走行の情報とに基づいて昇降路送風装置４と複数の乗場送風装置５とかご送風装置６との動作を制御する。
【００３５】
次に、図４と図５とを用いて、制御装置８の動作の一例を説明する。
図４と図５とはこの発明の実施の形態１におけるエレベーターの乗場送風装置が適用されるエレベーターシステムの制御装置の動作の一例を説明するためのフローチャートである。
【００３６】
例えば、花粉患者は、１階から６階の診療所に行こうとする。この際、花粉患者は、１階の乗場呼びを登録する。制御装置８は、当該乗場呼びにかご３を応答させる。かご３が１階に到着すると、花粉患者は、かご３に乗り込む。この際、ステップＳ１では、制御装置８は、目的の階の行先呼びとして６階の行先呼びが登録されたか否かを判定する。
【００３７】
ステップＳ１で６階の行先呼びが登録されていない場合、制御装置８は、ステップＳ２の動作を行う。ステップＳ２では、制御装置８は、状況に応じてかご３を制御する。その後、制御装置８は、動作を終了する。
【００３８】
ステップＳ１で６階の行先呼びが登録された場合、制御装置８は、ステップＳ３の動作を行う。ステップＳ３では、制御装置８は、患者ボタン３ａが予め設定された時間内に操作されたか否かを判定する。
【００３９】
ステップＳ３で患者ボタン３ａが予め設定された時間内に操作されていない場合、制御装置８は、ステップＳ４の動作を行う。ステップＳ４では、制御装置８は、６階の行先呼びにかご３を応答させる。その後、制御装置８は、動作を終了する。
【００４０】
ステップＳ３で患者ボタン３ａが予め設定された時間内に操作された場合、制御装置８は、ステップＳ５の動作を行う。ステップＳ５では、制御装置８は、エレベーターの運転モードを花粉運転モードに移行させる。
【００４１】
この際、制御装置８は、予め設定された情報を全ての階の乗場表示装置に表示させる。例えば、制御装置８は、花粉患者がエレベーターを利用していることを示す情報を全ての階の乗場表示装置に表示させる。例えば、制御装置８は、乗場２の利用者に対して風を浴びるように促す情報を全ての階の乗場表示装置に表示させる。
【００４２】
その後、制御装置８は、ステップＳ６の動作を行う。ステップＳ６では、制御装置８は、１階と６階との間の階の乗場呼びが登録されているか否かを判定する。
【００４３】
ステップＳ６で１階と６階との間の階の乗場呼びが登録されていない場合、制御装置８は、ステップＳ７の動作を行う。ステップＳ７では、制御装置８は、６階の行先呼びにかご３を応答させる。その後、制御装置８は、動作を終了する。
【００４４】
ステップＳ６で１階と６階との間の階の乗場呼びが登録されている場合、制御装置８は、ステップＳ８の動作を行う。ステップＳ８では、制御装置８は、かご３が当該階を通過しているか否かを判定する。
【００４５】
ステップＳ８でかご３が当該階を通過していない場合、制御装置８は、ステップＳ９の動作を行う。ステップＳ９では、制御装置８は、当該階の花粉検出装置７により検出された花粉の量が予め設定された量以上であるか否かを判定する。
【００４６】
ステップＳ９で当該階の花粉検出装置７により検出された花粉の量が予め設定された量よりも少ない場合、制御装置８は、ステップＳ１０の動作を行う。ステップＳ１０では、制御装置８は、当該乗場呼びにかご３を応答させる。その後、制御装置８は、ステップＳ１１の動作を行う。ステップＳ１１では、制御装置８は、６階の行先呼びにかご３を応答させる。その後、制御装置８は、動作を終了する。
【００４７】
ステップＳ９で当該階の花粉検出装置７により検出された花粉の量が予め設定された量以上である場合、制御装置８は、ステップＳ１２の動作を行う。ステップＳ１２では、制御装置８は、当該階に到着するまでに当該階の花粉の量が予め設定された量よりも少なくなるように当該階の乗場送風機５ａを動作させる。その後、制御装置８は、ステップＳ８の動作を行う。
【００４８】
ステップＳ８でかご３が当該階を通過している場合、制御装置８は、ステップＳ１１の動作を行う。その後、制御装置８は、動作を終了する。
【００４９】
以上で説明した実施の形態１によれば、乗場送風機５ａは、風を発生させる。当該風は、乗場２の出入口から乗場２の手前の側に流れる。このため、乗場２から離れる方向に花粉を移動させることができる。その結果、花粉がエレベーターを経由して建築物の内部に入り込むことを防止できる。
【００５０】
また、吹出装置５ｂは、三方枠に設けられる。このため、乗場２の出入口の外観を損なうことなく、花粉がエレベーターを経由して建築物の内部に入り込むことを防止できる。
【００５１】
なお、三方枠の上枠に吹出装置５ｂを設けてもよい。この場合、花粉がエレベーターを経由して建築物の内部に入り込むことをより確実に防止できる。
【００５２】
また、扉５ｃは、開いたときに乗場送風機５ａを乗場２の側に露出させる。このため、乗場２の側から簡単に乗場送風機５ａの保守作業を行うことができる。
【００５３】
また、乗場送風装置５は、花粉の量に基づいて動作する。このため、花粉がエレベーターを経由して建築物の内部に入り込むことを必要に応じて適切に防止できる。
【００５４】
また、かご送風装置６は、花粉の量とかご３の走行状態とに基づいて動作する。このため、花粉がエレベーターを経由して建築物の内部に入り込むことを必要に応じて適切に防止できる。
【００５５】
また、昇降路送風装置４は、かご送風装置６と連動する。このため、花粉が昇降路１に蓄積されることを防止できる。
【００５６】
また、制御装置８は、花粉の量に基づいて乗場呼びにかご３を応答させるか否かを判定する。このため、エレベーターの運行効率を考慮しつつ、花粉がエレベーターを経由して建築物の内部に入り込むことを防止できる。
【００５７】
また、制御装置８は、乗場呼びにかご３を応答し得るように乗場送風装置５を動作させる。このため、エレベーターの運行効率を維持しつつ、花粉がエレベーターを経由して建築物の内部に入り込むことを防止できる。
【００５８】
なお、かご３が当該階に到着するまでの時間に基づいて乗場送風装置５の風圧および風量の少なくとも一方を制御してもよい。この場合、登録された乗場呼びに対して適切にかごを応答させることができる。その結果、エレベーターの運行効率を維持することができる。
【００５９】
また、乗場２において、一対の乗場送風機５ａの風が当たる位置にマークを付けてもよい。さらに、当該マークの位置に存在する利用者をセンサ等で検出してもよい。この場合、センサの検出結果に基づいて利用者に対して待つべき位置を報知してもよい。この場合、利用者の服等に付着した花粉をより適切に除去することができる。
【００６０】
また、行先階ボタンを乗場２に設けてもよい。この際、特定の階に対応した行先階ボタンが操作された際にエレベーターの運転モードを花粉運転モードに移行させてもよい。この場合も、花粉がエレベーターを経由して建築物の内部に入り込むことを防止できる。
【００６１】
この際の特定の階は、エレベーターが設けられた建築物の使用状況に適宜設定すればよい。例えば、診療所が５階に存在する場合は、５階を特定の階とすればよい。
【００６２】
次に、図６を用いて、制御装置８の例を説明する。
図６はこの発明の実施の形態１におけるエレベーターの乗場送風装置が適用されるエレベーターシステムの制御装置のハードウェア構成図である。
【００６３】
制御装置８の各機能は、処理回路により実現し得る。例えば、処理回路は、少なくとも１つのプロセッサ９ａと少なくとも１つのメモリ９ｂとを備える。例えば、処理回路は、少なくとも１つの専用のハードウェア１０を備える。
【００６４】
処理回路が少なくとも１つのプロセッサ９ａと少なくとも１つのメモリ９ｂとを備える場合、制御装置８の各機能は、ソフトウェア、ファームウェア、又はソフトウェアとファームウェアとの組み合わせにより実現される。ソフトウェアおよびファームウェアの少なくとも一方は、プログラムとして記述される。ソフトウェアおよびファームウェアの少なくとも一方は、少なくとも１つのメモリ９ｂに格納される。少なくとも１つのプロセッサ９ａは、少なくとも１つのメモリ９ｂに記憶されたプログラムを読み出して実行することにより、制御装置８の各機能を実現する。少なくとも１つのプロセッサ９ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、少なくとも１つのメモリ９ｂは、ＲＡＭ、ＲＯＭ、フラッシュメモリ、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等である。
【００６５】
処理回路が少なくとも１つの専用のハードウェア１０を備える場合、処理回路は、例えば、単一回路、複合回路、プログラム化したプロセッサ、並列プログラム化したプロセッサ、ＡＳＩＣ、ＦＰＧＡ、又はこれらの組み合わせにより実現される。例えば、制御装置８の各機能は、それぞれ処理回路で実現される。例えば、制御装置８の各機能は、まとめて処理回路で実現される。
【００６６】
制御装置８の各機能について、一部を専用のハードウェア１０で実現し、他部をソフトウェア又はファームウェアで実現してもよい。例えば、かご制御部８ｂの機能については専用のハードウェア１０としての処理回路で実現し、かご制御部８ｂの機能以外の機能については少なくとも１つのプロセッサ９ａが少なくとも１つのメモリ９ｂに格納されたプログラムを読み出して実行することにより実現してもよい。
【００６７】
このように、処理回路は、ハードウェア１０、ソフトウェア、ファームウェア、又はこれらの組み合わせによって、制御装置８の各機能を実現する。
【符号の説明】
【００６８】
１  昇降路、  ２  乗場、  ３  かご、  ３ａ  患者ボタン、  ４、昇降路送風装置、  ５  乗場送風装置、  ５ａ  乗場送風機、  ５ｂ  吹出装置、  ５ｃ  扉、  ６  かご送風装置、  ７  花粉検出装置、  ８  制御装置、  ８ａ  呼び情報記憶部、  ８ｂ  かご制御部、  ８ｃ  送風装置制御部、  ９ａ  プロセッサ、  ９ｂ  メモリ、  １０  ハードウェア
【図１】
2018058671.tif 000003
【図２】
2018058671.tif 000004
【図３】
2018058671.tif 000005
【図４】
2018058671.tif 000006
【図５】
2018058671.tif 000007
【図６】
2018058671.tif 000008